(57)【特許請求の範囲】
【請求項１】
一回の撮影指示に応じて複数回の撮影を行うように制御する撮影制御手段と、
前記複数回の撮影の際に直前に撮影した画像を表示するレビュー表示を行うか否かを設定する設定手段と、
前記設定手段によって、レビュー表示を行うと設定されている場合、前記複数回の撮影の間に、直前に撮影された画像を表示手段に表示し、前記設定手段によって、レビュー表示を行わないと設定されている場合、前記複数回の撮影の間に、直前に撮像された画像を表示することなく、前記複数回の撮影の進捗状況を前記表示手段に表示するように制御する表示制御手段と
を有することを特徴とする撮像制御装置。
【請求項２】
前記表示制御手段は、前記設定手段によって、レビュー表示を行うと設定されている場合、前記複数回の撮影の間に特定の操作が行われたことに応じて直前に撮影された画像を表示し、前記設定手段によって、レビュー表示を行わないと設定されている場合、前記複数回の撮影の間に特定の操作が行われたことに応じて、直前に撮像された画像を表示することなく、前記複数回の撮影の進捗状況を表示するように制御することを特徴とする請求項１に記載の撮像制御装置。
【請求項３】
前記表示制御手段は、前記特定の操作が行われなかった場合には、前記複数回の撮影の間に、前記画像及び前記進捗状況の表示を行わないよう制御することを特徴とする請求項２に記載の撮像制御装置。
【請求項４】
前記表示制御手段は、前記設定手段によって、レビュー表示を行うと設定されている場合、前記複数回の撮影の各撮影が終了する度に、直前に撮影された画像を表示するよう制御することを特徴とする請求項１乃至３何れか１項に記載の撮像制御装置。
【請求項５】
前記表示制御手段は、前記設定手段によって、レビュー表示を行わないと設定されている場合、前記複数回の撮影の各撮影が終了したことに応じては、前記表示手段に何も表示しないように制御することを特徴とする請求項４に記載の撮像制御装置。
【請求項６】
前記表示制御手段は、前記設定手段によって、レビュー表示を行わないと設定されている場合、前記複数回の撮影の各撮影が終了する度に、前記進捗状況を表示するよう制御することを特徴とする請求項４に記載の撮像制御装置。
【請求項７】
前記表示制御手段は、前記複数回の撮影中の各撮影の合間の、前記レビュー表示及び前記進捗状況の表示を行っていない期間において、前記表示手段を非表示とするように制御することを特徴とする請求項１乃至６何れか１項に記載の撮像制御装置。
【請求項８】
前記表示制御手段は、前記進捗状況として、前記複数回の撮影の開始からの経過時間を表示するよう制御することを特徴とする請求項１乃至７何れか１項に記載の撮像制御装置。
【請求項９】
前記表示制御手段は、前記進捗状況として、既に行われた撮影回数を表示するよう制御することを特徴とする請求項１乃至８何れか１項に記載の撮像制御装置。
【請求項１０】
前記表示制御手段は、レビュー表示を行わないと設定されている場合において、前記複数回の撮影の停止指示を受け付けた場合には、直前に撮影された画像を表示手段に表示するよう制御することを特徴とする請求項１乃至９何れか１項に記載の撮像制御装置。
【請求項１１】
前記表示制御手段は、前記画像の表示中に、ユーザから表示変更指示を受け付けた場合に、表示手段の表示内容を画像から進捗状況に変更することを特徴とする請求項１乃至１０何れか１項に記載の撮像制御装置。
【請求項１２】
撮像制御装置が実行する制御方法であって、
一回の撮影指示に応じて複数回の撮影を行うように制御する撮影制御ステップと、
前記複数回の撮影の際に直前に撮影した画像を表示するレビュー表示を行うか否かを設定する設定ステップと、
前記設定ステップにおいて、レビュー表示を行うと設定されている場合、前記複数回の撮影の間に、直前に撮影された画像を表示手段に表示し、前記設定ステップにおいて、レビュー表示を行わないと設定されている場合、前記複数回の撮影の間に、直前に撮像された画像を表示することなく、前記複数回の撮影の進捗状況を前記表示手段に表示するように制御する表示制御ステップと
を含むことを特徴とする制御方法。
【請求項１３】
コンピュータを、請求項１乃至１１何れか１項に記載の撮像制御装置の各手段として機能させるためのプログラム。
【請求項１４】
コンピュータを、請求項１乃至１１何れか１項に記載の撮像制御装置の各手段として機能させるためのプログラムを格納したコンピュータが読み取り可能な記憶媒体。
【発明の詳細な説明】
【技術分野】
【０００１】
本発明は、撮像制御装置、制御方法及びプログラムに関する。特に、一回の撮影指示に応じて複数回の撮影を行うように制御する撮像制御技術に関する。
【背景技術】
【０００２】
近年、インターバル撮影モードを搭載したデジタルカメラが増えている。インターバル撮影モードには、複数枚の静止画を撮影し、合成して一枚の画像や動画ファイルとして記録するものや、一定間隔で動画を何度も撮影し、動画同士を連結または合成して一つの動画とするものなど様々なものが知られている。これらは、一つのファイルを作るために長時間の撮影が必要な点で共通している。そのためインターバル撮影時には、次回の撮影までの間はカメラをスリープさせたり液晶をオフにしたりすることで、バッテリーの消費を軽減させることが重要である。さらに、ユーザからの操作などに応じて撮影の進行状況や、撮影した画像をカメラ上で確認できることが重要である。
【０００３】
特許文献１には、インターバル撮影中に、撮影した複数の静止画を合成し、所定の操作が行われると合成画像を表示部に表示する撮像装置が開示されている。また、特許文献２には、インターバル撮影中に、インターバル撮影の開始からの経過時間を表示するように制御する撮像装置が開示されている。
【先行技術文献】
【特許文献】
【０００４】
【特許文献１】特開２０１３−６２７４０号公報
【特許文献２】特開２０１５−４０９６５号公報
【発明の概要】
【発明が解決しようとする課題】
【０００５】
しかしながら、インターバル撮影中に経過時間等を表示しないこととすると、ユーザは撮影の経過時間等を知ることができない。一方で、撮影された画像を表示することとすると、バッテリー消費を気にするユーザにとって使い勝手のよくないものとなってしまう。
【０００６】
本発明は上記課題に鑑み、インターバル撮影の撮影中に、バッテリーの消費を抑えつつ、撮影の進捗状況のユーザによる確認を可能とすることを目的とする。
【課題を解決するための手段】
【０００７】
そこで、本発明は、撮像制御装置であって、一回の撮影指示に応じて複数回の撮影を行うように制御する撮影制御手段と、前記複数回の撮影の際に直前に撮影した画像を表示するレビュー表示を行うか否かを設定する設定手段と、前記設定手段によって、レビュー表示を行うと設定されている場合、前記複数回の撮影の間に、直前に撮影された画像を表示手段に表示し、前記設定手段によって、レビュー表示を行わないと設定されている場合、前記複数回の撮影の間に、直前に撮像された画像を表示することなく、前記複数回の撮影の進捗状況を前記表示手段に表示するように制御する表示制御手段とを有することを特徴とする。
【発明の効果】
【０００８】
本発明によれば、インターバル撮影の撮影中に、バッテリーの消費を抑えつつ、撮影の進捗状況のユーザによる確認を可能とすることができる。
【図面の簡単な説明】
【０００９】
【図１】デジタルカメラの外観図である。
【図２】デジタルカメラの構成例を示す図である。
【図３】タイムラプス動画モード処理を示すフローチャートである。
【図４】表示例を示す図である。
【図５】表示例を示す図である。
【図６】対応テーブルの一例を示す図である。
【図７】タイムラプス動画処理を示すフローチャートである。
【図８】表示例を示す図である。
【発明を実施するための形態】
【００１０】
以下、本発明の実施形態について図面に基づいて説明する。
図１は、撮像制御装置の一例としてのデジタルカメラ１００の外観図である。図１（ａ）は、デジタルカメラ１００の背面側、図１（ｂ）は、デジタルカメラ１００の前面側を示す図である。表示部２８は画像や各種情報を表示する表示部である。ＬＣＤやＬＥＤによる表示を行う。表示部２８の表示内容のうち、ＬＣＤ等に表示するものとしては、撮影モードの選択画面、メニュー、撮影情報表示を含む。またＬＥＤ等で表示するものとしては、セルフタイマーのカウントダウン表示、撮影完了通知表示等を含む。
【００１１】
シャッターボタン６１は撮影指示を行うための操作部である。モード切替スイッチ６０は各種モードを切り替えるための操作部である。コネクタ１１２は接続ケーブル１１１とデジタルカメラ１００とのコネクタである。操作部７０はユーザからの各種操作を受け付ける各種スイッチ、ボタン、タッチパネル等の操作部材より成る操作部である。コントローラホイール７３は操作部７０に含まれる回転操作可能な操作部材である。電源スイッチ７２は、電源オン、電源オフを切り替えるための押しボタンである。記録媒体２００はメモリカードやハードディスク等の記録媒体である。記録媒体スロット２０１は記録媒体２００を格納するためのスロットである。記録媒体スロット２０１に格納された記録媒体２００は、デジタルカメラ１００との通信が可能となる。蓋２０３は記録媒体スロット２０１の蓋である。
【００１２】
図２は、本実施形態によるデジタルカメラ１００の構成例を示すブロック図である。図２において、撮影レンズ１０３はズームレンズ、フォーカスレンズを含むレンズ群である。シャッター１０１は絞り機能を備えるシャッターである。撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。バリア１０２は、デジタルカメラ１００の、撮影レンズ１０３を含む撮像系を覆うことにより、撮影レンズ１０３、シャッター１０１、撮像部２２を含む撮像系の汚れや破損を防止する。
【００１３】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１４】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００１５】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダとして機能し、スルー画像表示（ライブビュー表示）を行える。
【００１６】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００１７】
システム制御部５０は、デジタルカメラ１００全体を制御する。前述した不揮発性メモリ５６に記録されたプログラムを実行することで、後述する本実施形態の各処理を実現する。５２はシステムメモリであり、ＲＡＭが用いられる。システムメモリ５２には、システム制御部５０の動作用の定数、変数、不揮発性メモリ５６から読み出したプログラム等を展開する。また、システム制御部５０は、メモリ３２、Ｄ／Ａ変換器１３、表示部２８等を制御することにより表示制御も行う。
【００１８】
システムタイマー５３は各種制御に用いる時間や、内蔵された時計の時間を計測する計時部である。モード切替スイッチ６０、シャッターボタン６１、操作部７０はシステム制御部５０に各種の動作指示を入力するための操作手段である。モード切替スイッチ６０は、システム制御部５０の動作モードを静止画記録モード、動画記録モード、再生モード等のいずれかに切り替える。静止画記録モードに含まれるモードとして、オート撮影モード、オートシーン判別モード、マニュアルモード、撮影シーン別の撮影設定となる各種シーンモード、プログラムＡＥモード、シャッター速度優先モード、絞り優先モード、カスタムモード等がある。モード切り替えスイッチ６０で、静止画撮影モードに含まれるこれらのモードのいずれかに直接切り替えられる。あるいは、モード切り替えスイッチ６０で静止画撮影モードに一旦切り換えた後に、静止画撮影モードに含まれるこれらのモードのいずれかに、他の操作部材を用いて切り替えるようにしてもよい。同様に、動画撮影モードにも複数のモードが含まれていてもよい。
【００１９】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２０】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。
【００２１】
コントローラホイール７３は、操作部７０に含まれる回転操作可能な操作部材であり、方向ボタンと共に選択項目を指示する際などに使用される。コントローラホイール７３を回転操作すると、操作量に応じて電気的なパルス信号が発生し、このパルス信号に基づいてシステム制御部５０はデジタルカメラ１００の各部を制御する。このパルス信号によって、コントローラホイール７３が回転操作された角度や、何回転したかなどを判定することができる。なお、コントローラホイール７３は回転操作が検出できる操作部材であればどのようなものでもよい。例えば、ユーザの回転操作に応じてコントローラホイール７３自体が回転してパルス信号を発生するダイヤル操作部材であってもよい。また、タッチセンサよりなる操作部材で、コントローラホイール７３自体は回転せず、コントローラホイール７３上でのユーザの指の回転動作などを検出するものであってもよい（いわゆる、タッチホイール）。
【００２２】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。電源部３０は、アルカリ電池やリチウム電池等の一次電池やＮｉＣｄ電池やＮｉＭＨ電池、Ｌｉ電池等の二次電池、ＡＣアダプター等からなる。
【００２３】
記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。通信部５４は、無線または優先ケーブルによって接続し、映像信号や音声信号の送受信を行う。通信部５４は無線ＬＡＮ（Local  Area  Network）やインターネットとも接続可能である。通信部５４は撮像部２２で撮像した画像（スルー画像を含む）や、記録媒体２００に記録された画像を送信可能であり、また、外部機器から画像データやその他の各種情報を受信することができる。
【００２４】
姿勢検知部５５は重力方向に対するデジタルカメラ１００の姿勢を検知する。姿勢検知部５５で検知された姿勢に基づいて、撮像部２２で撮影された画像が、デジタルカメラ１００を横に構えて撮影された画像であるか、縦に構えて撮影された画像なのかを判別可能である。システム制御部５０は、姿勢検知部５５で検知された姿勢に応じた向き情報を撮像部２２で撮像された画像の画像ファイルに付加したり、画像を回転して記録したりすることが可能である。姿勢検知部５５としては、加速度センサーやジャイロセンサーなどを用いることができる。
【００２５】
デジタルカメラ１００は、少なくとも画像を再生するための再生モードと、撮影を行うための撮影モードとで、切り替えて使用することができ、撮影モードとしては、オートモードやマニュアルモード、複数のシーン別撮影モードを備えている。オートモードは、カメラの各種パラメータが、計測された露出値に基づいたデジタルカメラ１００に組み込まれたプログラムにより自動的に決定されるモードである。マニュアルモードは、カメラの各種パラメータをユーザが自由に変更可能なモードである。
【００２６】
シーン別撮影モードとは、撮影シーン別にその撮影シーンに適したシャッター速度や絞り値、ストロボ発光状態、感度設定、ホワイトバランス（ＷＢ）設定等を組み合わせることによって実現される撮影モードである。デジタルカメラ１００は、例えば、以下に記す（１）〜（１１）のシーン別撮影モードを備えている。但し、これらのシーン別撮影モードに限定されるものではない。
（１）水上撮影モード（ビーチモード）：太陽光の反射の強い海面や砂浜でも、人物などが暗くならずに撮影可能なモード
（２）夜景撮影モード：人物にストロボ光をあて、背景を遅いシャッター速度で記録する、夜景シーンに特化したモード
（３）打ち上げ花火撮影モード：打ち上げ花火を最適な露出で鮮やかに撮影するためのモード
（４）水中撮影モード：水中撮影に最適なホワイトバランスに設定し、青みを押さえた色合いで撮影するモード
（５）夕焼け撮影モード：シルエットを強調し、赤を強調して撮影するモード
（６）ポートレート撮影モード：背景をぼかして人物を浮き立たせるようにして人物撮影に特化したモード
（７）スポーツ撮影モード：動きの早い被写体をとるのに特化した設定とする撮影モード
（８）ナイト＆スナップ撮影モード：三脚なしで夜景と人物をきれいに撮るのに適したモード
（９）スポットライト撮影モード：スポットライトが当たった被写体をきれいに撮るモード
（１０）水中モード：水中に最適なホワイトバランスに設定し、青みを押さえた色合いで撮影するモード、
（１１）タイムラプス動画モード：所定間隔をおいて撮影した静止画を動画像ファイルにすることで早送り動画を作成するモード
撮影者は、撮影モード選択メニューからデジタルカメラ１００を所望の撮影モードに設定して撮影を行うことができる。
【００２７】
図３は、デジタルカメラ１００によるタイムラプス動画モード処理を示すフローチャートである。本処理は、不揮発性メモリ５６に記録されたプログラムを、システムメモリ５２に展開してシステム制御部５０が実行することにより実現される。タイムラプス動画モード処理は、ユーザによりデジタルカメラ１００が起動され、撮影モードでタイムラプス動画モードが選択されることにより開始される。
【００２８】
Ｓ３０１においてシステム制御部５０は、撮像部２２での撮像を開始して、表示部２８にタイムラプス動画モードにおける待機画面を表示する。図４（ａ）は、待機画面４００の表示例を示す図である。待機画面４００には、スルー表示４０１と、設定画面を表示するためのボタン４０２とが表示されている。本実施形態においては、本撮影モードにおいて使用されないストロボボタンが設定画面を表示するためのボタン４０２として用いられるものとする。次に、Ｓ３０２において、システム制御部５０は、ボタン４０２が押下されたことに対応し、設定画面への遷移指示を受け付けたか否かを確認する。システム制御部５０は、遷移指示を受け付けた場合には（Ｓ３０２でＹｅｓ）、処理をＳ３０３へ進める。システム制御部５０は、遷移指示を受け付けなかった場合には（Ｓ３０２でＮｏ）、処理をＳ３０９へ進める。
【００２９】
Ｓ３０３において、システム制御部５０は、表示部２８に設定画面を表示する。図４（ｂ）は、設定画面４１０の表示例を示す図である。設定画面４１０には、設定可能なパラメータを示す、撮影シーン欄４１１、撮影間隔／回数欄４１２、自動露出欄４１３、レビュー表示欄４１４が表示されている。次に、Ｓ３０４において、システム制御部５０は、パラメータの選択指示を受け付けたか否かを確認する。設定画面４１０において、撮影シーン欄４１１、撮影間隔／回数欄４１２、自動露出欄４１３、レビュー表示欄４１４のうちいずれかが選択されると、システム制御部５０は、選択指示を受け付ける。
【００３０】
システム制御部５０は、ユーザが撮影シーン欄４１１を選択したことに応じて撮影シーンの選択指示を受け付けると、処理をＳ３０５へ進める。システム制御部５０は、ユーザが撮影間隔／回数欄４１２を選択したことに応じて撮影間隔／回数の選択指示を受け付けると、処理をＳ３０６へ進める。システム制御部５０は、ユーザが自動露出欄４１３を選択したことに応じて自動露出の選択指示を受け付けると、処理をＳ３０７へ進める。システム制御部５０は、ユーザがレビュー表示欄４１４を選択したことに応じてレビュー表示の選択指示を受け付けると、処理をＳ３０８へ進める。
【００３１】
Ｓ３０５において、システム制御部５０は、シーン設定画面を表示する。図５（ａ）は、シーン設定画面５００の表示例を示す図である。シーン設定画面５００は、シーンの選択を受け付けるための画面である。ユーザにより、シーン設定画面５００において、シーン欄５０１〜５０３が選択されると、システム制御部５０は、シーン選択指示を受け付ける。システム制御部５０は、シーン選択指示に従い、シーンを設定する。システム制御部５０はさらに、シーンに対応する条件グループの撮影回数及び撮影回数の値を設定する。システム制御部５０は、Ｓ３０５の処理の後、処理をＳ３０９へ進める。
【００３２】
ここで、シーンとは、タイムラプス動画の被写体の動きに応じたモードであり、各モードに対し、設定可能な撮影条件の範囲が定められている。ここで、シーンについて説明する。本実施形態に係るデジタルカメラ１００は、前述の通り、タイムラプス動画を作成するための静止画の撮影を行う。ユーザは、タイムラプス動画に利用する静止画の撮影時の撮影条件、すなわち撮影間隔と撮影回数を設定することができる。
【００３３】
ただし、設定可能な撮影間隔及び撮影回数の値は、デジタルカメラ１００のバッテリーが満充電の時に撮影可能な時間の上限値に応じて制限される。具体的には、「撮影間隔×撮影回数」で算出される撮影時間は、デジタルカメラ１００のバッテリーが満充電の時に撮影可能な時間の上限値以下となる必要がある。すなわち、撮影間隔と撮影回数の組み合わせは、「撮影間隔×撮影回数」の値が、上述の撮影可能な時間の上限値以下となるような値の組み合わせに制限される。以下、デジタルカメラ１００のバッテリーが満充電の時に撮影可能な時間の上限値を最大撮影時間と称することとする。本実施形態においては、最大撮影時間が２時間であるものとする。
【００３４】
本実施形態のデジタルカメラ１００は、最大撮影時間を満たす撮影間隔及び撮影回数の撮影条件を３つの条件グループに分類し、各条件グループにおける撮影条件の制限の下で、ユーザ設定を受け付ける。デジタルカメラ１００の不揮発性メモリ５６等の記憶部には、３つのシーン（シーン１〜３）と、各シーンに対応する条件グループ（条件グループ１〜３）と、各条件グループに定義された撮影条件とを対応付けた対応テーブルが記憶されている。図６は、対応テーブル６００の一例を示す図である。ここで、シーン１〜３は、被写体の動きの速度に応じた被写体の種類を示す情報である。本実施形態においては、「シーン１」は、人物等比較的動きのある被写体に対応し、「シーン２」は、雲の動き等中程度の動きのある被写体に対応し、「シーン３」は、より動きの少ない被写体に対応するものである。
【００３５】
「シーン１」に対応する「条件グループ１」において、撮影間隔の範囲は１〜４秒に設定されており、最大撮影回数は１８００回に設定されている。これは、撮影間隔が最大値４秒のときに最大撮影時間（２時間）となるような値（４秒×１８００回＝７２００秒）である。「シーン２」に対応する「条件グループ２」において、撮影間隔の範囲は５〜１０秒に設定されており、最大撮影回数は７２０回（１０秒×７２０回＝７２００秒）に設定されている。「シーン３」に対応する「条件グループ３」において、撮影間隔の範囲は１１秒〜３０秒に設定されており、最大撮影回数は２４０回（３０秒×２４０回＝７２００秒）に設定されている。
【００３６】
なお、本実施形態においては、作成される動画ファイルは３０フレーム／秒のフレームレートとしているため、撮影回数を３０で割ることにより動画の再生時間が算出できる。例えば、撮影回数９００回であれば、作成される動画の再生時間は３０秒（９００回／３０ＦＰＳ＝３０秒）となる。
【００３７】
本実施形態においては、各条件グループに対し、互いに重ならないような撮影間隔の範囲が設定されている。また、各条件グループの撮影間隔の範囲の幅は、撮影間隔の値が大きくなるほど、条件グループにおいて選択可能な撮影間隔の値の幅が広くなるように設定されている。撮影間隔は１秒単位で選択可能であるため、撮影間隔の選択肢は、「条件グループ１」では１〜４の４個、「条件グループ２」では５〜１０の６個、「条件グループ３」では２０個となり、撮影間隔が大きい方がより選択肢が多い。
【００３８】
また、各条件グループにおいて、撮影回数は、３０回単位で選択可能である。すなわち、「条件グループ３」では、３０回、６０回、９０回、１２０回、１５０回、１８０回、２１０回、２４０回の８つが選択肢となる。撮影間隔の選択肢の数とは逆に、撮影間隔の値が大きくなる程、条件グループにおいて選択可能な撮影回数の値の幅は狭くなるように設定されている。また、条件グループ１〜３はいずれも、撮影時間の上限を共通して７２００秒（２時間）としている。これは、バッテリーが満充電の時に使用可能な時間に基づいて決定される設計値である。
【００３９】
Ｓ３０６において、システム制御部５０は、撮影間隔／回数設定画面を表示する。図５（ｂ）は、撮影間隔／回数設定画面５１０の表示例を示す図である。撮影間隔／回数設定画面５１０において、撮影間隔５１１及び撮影回数５１２に値が入力されると、システム制御部５０は、撮影間隔及び撮影回数の設定指示を受け付ける。システム制御部５０は、設定指示に従い、撮影間隔及び撮影回数を設定する。なお、撮影間隔５１１及び撮影回数５１２に設定可能な値の範囲は、処理時点において設定されているシーンに応じて異なっている。システム制御部５０は、Ｓ３０６の処理の後、処理をＳ３０９へ進める。
【００４０】
Ｓ３０７において、システム制御部５０は、自動露出設定画面を表示する。図５（ｃ）は、自動露出設定画面５２０の表示例を示す図である。自動露出設定画面５２０において、ボタン５２１，５２２が選択されると、システム制御部５０は、自動露出を１枚目のもので固定するか、撮影毎に露出を行うかの自動露出設定指示を受け付ける。システム制御部５０は、自動露出設定指示に従い、自動露出設定を行う。システム制御部５０は、Ｓ３０７の処理の後、処理をＳ３０９へ進める。
【００４１】
Ｓ３０８において、システム制御部５０は、レビュー設定画面を表示する。図５（ｄ）は、レビュー設定画面５３０の表示例を示す図である。レビュー設定画面５３０において、ボタン５３１，５３２が選択されると、システム制御部５０は、レビュー表示の有無に係るレビュー表示設定指示を受け付ける。システム制御部５０は、レビュー表示設定指示に従い、レビュー表示を行うか否かを設定する。本処理は、レビュー表示を行うか否かを設定する設定処理の一例である。レビュー表示を行うと設定した場合には、デジタルカメラ１００は、撮影後に毎回レビューを所定秒数表示する。レビュー表示をしないと設定した場合には、デジタルカメラ１００は、撮影後にレビュー表示を行わない。このため、バッテリーを長持ちさせることができる。システム制御部５０は、Ｓ３０８の処理の後、処理をＳ３０９へ進める。
【００４２】
この、タイムラプス動画モードにおけるレビュー表示設定は、他の撮影モードのレビュー表示の設定項目とは独立した設定項目として用意される。このレビュー表示設定（タイムラプス動画撮影のレビュー表示設定）は、不揮発性メモリ５６に記憶される。なお、タイムラプス動画撮影のレビュー表示設定とは別に、レックレビュー表示の有無も設定できるものとするが、タイムラプス動画撮影のレビュー表示設定はレックレビュー表示とは別の設定である。レックレビューとは、通常の撮影モードによる静止画撮影（１回の撮影指示に応じて１回の撮影を行う場合）に、撮影の直後に設定されたレビュー時間（０．５秒〜２秒程度）、撮影された画像表示する機能である。
【００４３】
Ｓ３０９において、システム制御部５０は、図４（ａ）の待機画面４００が表示された状態において、動画ボタンの押下に応じて、タイムラプス動画処理の開始指示を受け付けたか否かを確認する。システム制御部５０は、開始指示を受け付けた場合には（Ｓ３０９でＹｅｓ）、処理をＳ３１０へ進める。システム制御部５０は、開始指示を受け付けなかった場合には（Ｓ３０９でＮｏ）、処理をＳ３１１へ進める。
【００４４】
Ｓ３１０において、システム制御部５０は、タイムラプス動画処理を行う。タイムラプス動画処理は、一回の撮影指示に応じて複数回の撮影を行い、撮影により得られた複数の静止画を合成し、タイムラプス動画を生成する処理である。タイムラプス動画処理については、図７を参照しつつ後述する。システム制御部５０は、タイムラプス動画処理の後、処理をＳ３１１へ進める。Ｓ３１１において、システム制御部５０は、電源スイッチがＯＦＦされたか否かを確認する。システム制御部５０は、ＯＦＦされた場合には（Ｓ３１１でＹｅｓ）、処理をＳ３１２へ進める。システム制御部５０は、ＯＦＦされていない場合には（Ｓ３１１でＮｏ）、処理をＳ３０１へ進める。Ｓ３１２において、システム制御部５０は、終了処理を行い、デジタルカメラ１００をシャットダウンさせる。
【００４５】
図７は、タイムラプス動画処理（Ｓ３０９）における詳細な処理を示すフローチャートである。Ｓ７０１において、システム制御部５０は、撮影回数のカウンタに０を設定する。次に、Ｓ７０２において、システム制御部５０は、静止画撮影を行う。なお、後述のように、本処理は、複数回繰り返し行われる。すなわち、Ｓ７０２の処理は、一回の撮影指示に応じて複数回の撮影を行うように制御する撮影制御処理の一例である。次に、Ｓ７０３において、システム制御部５０は、Ｓ７０２における撮影に応じて、撮影回数のカウンタを更新する。
【００４６】
次に、Ｓ７０４において、システム制御部５０は、撮影回数が１回目か否かを確認する。システム制御部５０は、撮影回数が１回目の場合には（Ｓ７０４でＹｅｓ）、処理をＳ７０５へ進める。システム制御部５０は、撮影回数が２回目以降の場合には（Ｓ７０４でＮｏ）、処理をＳ７０６へ進める。Ｓ７０５において、システム制御部５０は、動画ファイルを新規作成し、その後処理をＳ７０７へ進める。Ｓ７０６において、システム制御部５０は、Ｓ７０２において得られた静止画を前回まで作成した動画ファイルの最後に合成して動画ファイルを更新し、その後処理をＳ７０７へ進める。
【００４７】
Ｓ７０７において、システム制御部５０は、レビュー表示の設定を確認する。レビュー表示を行うと設定されている場合には（Ｓ７０７でＹｅｓ）、処理をＳ７０８へ進める。システム制御部５０は、レビュー表示を行わないと設定されている場合には（Ｓ７０７でＮｏ）、処理をＳ７１１へ進める。Ｓ７０８において、システム制御部５０は、直前に撮影した静止画を再生して表示部２８にレビュー表示として２秒間表示する。システム制御部５０は、このとき、処理時点における撮影回数(撮影回数カウンタ)と総撮影枚数をレビュー表示と共に表示する。
【００４８】
図８（ａ）は、Ｓ７０８において表示されるレビュー表示画面８００の一例を示す図である。レビュー表示画面８００には、レビュー画像８０１と、撮影回数８０２と、総撮影枚数８０３と、が表示されている。これにより、ユーザは、レビュー画像だけでなく、撮影回数と総撮影枚数から、残りの撮影回数を知ることができる。なお、他の例としては、７０８においては、システム制御部５０は、撮影回数８０２及び総撮影枚数８０３の表示は行わず、レビュー表示のみ行うこととしてもよい。
【００４９】
Ｓ７０９において、システム制御部５０は、撮影回数と総撮影枚数とを比較する。ここで、総撮影枚数は、設定されたシーンにおいてユーザにより設定された撮影回数である。システム制御部５０は、撮影回数と総撮影枚数とが等しい場合には（Ｓ７０９でＹｅｓ）、タイムラプス動画処理を終了する。システム制御部５０は、撮影回数が総撮影枚数に達していない場合には（Ｓ７０９でＮｏ）、処理をＳ７１０へ進める。Ｓ７１０において、システム制御部５０は、表示部２８への電源供給を切ることにより、表示部２８を非表示とする。この処理によって次回の撮影までの電力消費を抑えることができる。
【００５０】
次に、Ｓ７１１において、システム制御部５０は、ディスプレイオフ中（表示部２８への電源供給を切っている期間）に、ＳＷ１操作に応じた表示指示を受け付けたか否かを確認する。ここで、ＳＷ１操作は、特定の操作の一例である。システム制御部５０は、ＳＷ１操作が行われ、表示指示を受け付けた場合には（Ｓ７１１でＹｅｓ）、処理をＳ７１４へ進める。システム制御部５０は、ＳＷ１操作が行われず、表示指示を受け付けなかった場合には（Ｓ７１１でＮｏ）、処理をＳ７１２へ進める。
【００５１】
Ｓ７１２において、システム制御部５０は、動画ボタンの押下に応じて、タイムラプス動画処理の停止指示を受け付けたか否かを確認する。システム制御部５０は、終了指示を受け付けた場合には（Ｓ７１２でＹｅｓ）、以降の静止画撮影を行うことなく、タイムラプス動画処理を終了する。システム制御部５０は、停止指示を受け付けなかった場合には（Ｓ７１２でＮｏ）、処理をＳ７１３へ進める。
【００５２】
Ｓ７１３において、システム制御部５０は、Ｓ７０２における静止画撮影のタイミングから、設定された撮影間隔が経過したか否かを確認する。システム制御部５０は、撮影間隔が経過した場合には（Ｓ７１３でＹｅｓ）、処理をＳ７０２へ進める。すなわち、システム制御部５０は、静止画撮影を継続する。システム制御部５０は、撮影間隔が経過していない場合には（Ｓ７１３でＮｏ）、処理をＳ７１０へ進める。このように、システム制御部５０は、レビュー設定がＯＮの状態で撮影中に何も操作されない場合には、表示部２８への表示は行わない。
【００５３】
Ｓ７１４において、システム制御部５０は、レビュー表示の設定を確認する。レビュー表示を行うと設定されている場合には（Ｓ７１４でＹｅｓ）、処理をＳ７１５へ進める。システム制御部５０は、レビュー表示を行わないと設定されている場合には（Ｓ７１４でＮｏ）、処理をＳ７１６へ進める。Ｓ７１５において、システム制御部５０は、レビュー表示を２秒間表示する。本処理は、Ｓ７０８の処理と同様である。システム制御部５０は、その後処理をＳ７１０へ進める。なお、システム制御部５０は、レビュー表示中に設定した撮影間隔を経過した場合には、レビュー表示を終了し、処理をＳ７０１へ進めるものとする。
【００５４】
Ｓ７１６において、システム制御部５０は、進捗状況として、撮影回数及び総撮影回数を示す進捗表示画面を表示部２８に２秒間表示する。システム制御部５０は、その後処理をＳ７１０へ進める。図８（ｂ）は、撮影回数及び総撮影枚数を表示する進捗表示画面８１０の表示例を示す図である。進捗表示画面８１０には、撮影回数８１２と、総撮影枚数８１３が表示されている。但し、レビュー画像は表示されない。レビュー表示画面８００においてレビュー画像８０１が表示される領域８１１には、黒色（輝度が最も低い色）の画像が表示される。さらに、撮影回数８１２と総撮影枚数８１３が表示される領域８１４の背景色は、暗所順応を妨げないようなオレンジ色（青色成分の無い色）であるのが好ましい。なお、Ｓ７１５及びＳ７１６の処理は、表示制御処理の一例である。
【００５５】
このようにレビュー設定がＯＦＦの場合には、ユーザは、撮影の合間にわざわざレビュー表示を行わなくとも、撮影の進捗状況を確認することができる。したがって、電力消費を抑えることができる。また、レビュー表示で表示される画像による周囲への影響を低減することができる。例えば夜間の野外や発表会の客席などの暗所でタイムラプス動画の撮影を行っている場合にレビュー表示されると、周囲の人の迷惑となる可能性がある。また、野生動物等を被写体とする場合、被写体に驚きを与えて逃げられる可能性がある。また、天体の定点観測等で長時間撮影する際に、他の人にカメラの存在を知られる可能性があり、デジタルカメラ１００にぶつかられる、持ち去られる恐れがある。これに対し、進捗表示画面の表示のみとすることにより、これらの可能性を低減することができる。
【００５６】
一方、レビュー設定がＯＦＦの場合に何も表示しないこととした場合、ＳＷ１操作に応じた反応がないことになり、ユーザはタイムラプス動画の撮影が継続中であるか否かわからない。そのため、タイムラプス動画の総枚数の撮影が完了したか電池が無くなったためにタイムラプス動画の撮影が終了したと誤認する恐れがある。タイムラプス動画の撮影が終了したと誤認した場合は、デジタルカメラ１００を持ち運んで移動させてしまう可能性があり、この場合固定した撮影範囲でのタイムラプス動画の撮影が失敗してしまう。これに対し、本実施形態のデジタルカメラ１００は、タイムラプス動画の撮影途中のディスプレイオフの期間中に操作された場合には、レビュー設定がＯＦＦであっても、進捗に関する表示だけは行う。従って必要以上の電力消費を抑え、かつ、周囲への影響を低減しつつも、ユーザがタイムラプス動画の撮影が終了していると誤認してしまうことを防ぐことができる。
【００５７】
以上説明した上記実施形態によれば、撮影開始からの進捗状況を、ディスプレイオフ中に確認することができるため、ユーザはバッテリーの低下を気にすることなく進捗状況を知ることが可能である。すなわち、デジタルカメラ１００は、インターバル撮影の撮影中に、バッテリーの消費を抑えつつ、撮影の進捗状況のユーザによる確認を可能とすることができる。
【００５８】
本実施形態の第1の変更例としては、Ｓ７１２において動画ボタンが押下された場合、システム制御部５０は、タイムラプス動画の撮影を中断すると共に、レビュー表示の設定に関わらず直前に撮影された画像を表示してもよい。そして、システム制御部５０は、画像を一定時間表示した後、タイムラプス動画処理を終了することとしてもよい。これにより、ユーザは、中断直前までに、タイムラプス動画でどのような画像が撮像されたかを確認することができる。
【００５９】
第２の変更例としては、Ｓ７１２において動画ボタンが押下された場合、システム制御部５０は、レビュー表示の設定に関わらず、直前に撮影された画像を表示し、タイムラプス動画処理を中断するかの確認画面を表示してもよい。そして、システム制御部５０は、確認画面で中断を指示された場合に、タイムラプス動画処理を終了する。一方で、システム制御部５０は、キャンセルが指示された場合は、タイムラプス動画処理を継続する。これにより、所望の場面までタイムラプス動画の撮影ができたかどうかを確認した上で中断するかどうかをユーザが判断することができる。
【００６０】
第３の変更例としては、システム制御部５０は、Ｓ７１３及びＳ７１５においてレビュー表示画面を表示中に、表示内容をレビュー表示画面から、進捗表示画面に切り替えてもよい。具体的には、システム制御部５０は、シャッターボタンの半押し（ＳＷ１操作）、または操作部７０に含まれる別の操作部材（例えばＤｉｓｐボタン）の操作に応じた表示変更指示を受け付けたか否かを確認する。そして、システム制御部５０は、表示変更指示を受け付けた場合には、レビュー表示画面の表示を終了し、進捗表示画面８１０の表示に切り替えることにより、表示内容を、画像から進捗状況に変更してもよい。
【００６１】
第４の変更例としては、システム制御部５０は、Ｓ７０７において、レビュー設定がＯＦＦに設定されていた場合に、進捗表示画面を２秒間表示し、その後処理をＳ７１１へ進めることとしてもよい。これにより、ユーザは、撮影が終了する度に、撮影が正常に行われたこと等進捗状況を確認することができる。
【００６２】
第５の変更例としては、システム制御部５０は、進捗表示画面には、撮影の進捗状況に係る情報を表示すればよく、具体的な情報の種類は実施形態に限定されるものではない。他の例としては、システム制御部５０は、進捗状況として、撮影開始からの経過時間を表示してもよい。
【００６３】
また、本実施形態においては、複数の静止画を撮影する処理として、タイムラプス動画の静止画撮影を例に説明したが、これに限定されるものではなく、インターバル撮影であればよい。
【００６４】
なお、システム制御部５０が行うものとして説明した制御は１つのハードウェアが行ってもよいし、複数のハードウェアが処理を分担することで、装置全体の制御を行ってもよい。
【００６５】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００６６】
また、上述した実施形態においては、本発明をデジタルカメラ１００に適用した場合を例にして説明したが、これはこの例に限定されずタイムラプス撮影を行うことのできる撮像装置を制御可能な装置であれば適用可能である。すなわち、本発明は、撮像部を備えるパーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダーなどに適用可能である。また、デジタルカメラ等で撮影したライブビュー画像を有線または無線通信を介して受信して表示し、リモートでデジタルカメラ（ネットワークカメラを含む）を制御するスマートフォンやタブレットＰＣ、パーソナルコンピュータなどの装置にも適用可能である。
【００６７】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６８】
２８  表示部
５０  システム制御部
１００  デジタルカメラ
【図１】
0006598661.tif 000002
【図２】
0006598661.tif 000003
【図３】
0006598661.tif 000004
【図４】
0006598661.tif 000005
【図５】
0006598661.tif 000006
【図６】
0006598661.tif 000007
【図７】
0006598661.tif 000008
【図８】
0006598661.tif 000009